(57)【特許請求の範囲】
【請求項１】
定められた複数のユーザごとに、当該ユーザの好みの照度である要求照度が対応付けられた照度データが予め記憶される照度データ記憶部と、
複数の灯具により照らされる空間内において定められた複数の地点ごとに、前記灯具が点灯した場合の当該地点における照度が、複数の前記灯具ごとに対応付けられた照度分布データが予め記憶される照度分布データ記憶部と、
前記複数の地点ごとに、当該地点を定められた照度によって照らすために点灯する、前記灯具を識別する灯具識別情報と当該灯具の調光の度合いを示す点灯率とが対応付けられた点灯率データが予め記憶される点灯率データ記憶部と、
前記複数の地点のうちいずれかの地点と、前記複数のユーザのうちいずれかのユーザとを示す点灯要求の入力を受付ける点灯要求入力部と、
前記点灯要求入力部に複数の前記点灯要求が入力されると、当該複数の点灯要求のそれぞれが示す前記ユーザに対応する複数の前記要求照度を前記照度データ記憶部から読み出し、読み出した複数の要求照度によって前記複数の点灯要求のそれぞれが示す前記地点を照らすための複数の前記点灯率データを前記点灯率データ記憶部から読み出し、読み出した複数の点灯率データのうちに同一の前記灯具識別情報が含まれる場合、当該複数の点灯要求に含まれる複数の地点のそれぞれの照度が、前記要求照度の予め定められた範囲内となる再調整率を、前記照度分布データ記憶部に記憶されている前記照度分布データに基づいて算出する再調整率算出部と、
前記再調整率算出部によって算出された前記再調整率に基づく点灯率により前記灯具を点灯させる調光制御部と、を備え、
前記調光制御部は、前記点灯要求入力部に入力された複数の前記点灯要求が同一の地点に対する点灯要求である場合、当該点灯要求に応じたユーザに対応する複数の前記要求照度のうち最大の照度により前記灯具を点灯させる
ことを特徴とする照度制御装置。
【請求項２】
定められた複数のユーザごとに、当該ユーザの好みの照度である要求照度が対応付けられた照度データが予め記憶される照度データ記憶部と、複数の灯具により照らされる空間内において定められた複数の地点ごとに、前記灯具が点灯した場合の当該地点における照度が、複数の前記灯具ごとに対応付けられた照度分布データが予め記憶される照度分布データ記憶部と、前記複数の地点ごとに、当該地点を定められた照度によって照らすために点灯する、前記灯具を識別する灯具識別情報と当該灯具の調光の度合いを示す点灯率とが対応付けられた点灯率データが予め記憶される点灯率データ記憶部と、を備える照度制御装置の照度制御方法であって、
前記複数の地点のうちいずれかの地点と、前記複数のユーザのうちいずれかのユーザとを示す複数の点灯要求の入力を受付けるステップと、
複数の前記点灯要求が入力されると、当該複数の点灯要求のそれぞれが示す前記ユーザに対応する複数の前記要求照度を前記照度データ記憶部から読み出し、読み出した複数の要求照度によって前記複数の点灯要求のそれぞれが示す前記地点を照らすための複数の前記点灯率データを前記点灯率データ記憶部から読み出し、読み出した複数の点灯率データのうちに同一の前記灯具識別情報が含まれる場合、当該複数の点灯要求に含まれる複数の地点のそれぞれの照度が、前記要求照度の予め定められた範囲内となる再調整率を、前記照度分布データ記憶部に記憶されている前記照度分布データに基づいて算出するステップと、
入力された複数の前記点灯要求が同一の地点に対する点灯要求である場合、当該点灯要求に応じたユーザに対応する複数の前記要求照度のうち最大の照度に基づいて算出した前記再調整率に基づく点灯率により前記灯具を点灯させるステップと、
を備えることを特徴とする照度制御方法。
【発明の詳細な説明】
【技術分野】
【０００１】
本発明は、複数の灯具による照度制御に関する。
【背景技術】
【０００２】
複数の灯具により空間を照らす場合、その空間に複数の人がいればそれぞれの人に好みの照度があると考えられる。例えば異なる人が利用する複数のデスクが並ぶオフィス空間などにおいて、それぞれの人が自席の机上面を自分の好みの照度によって照らされるようにしたい場合がある。このような場合、例えばタスクアンビエント照明方式により、全体を照らすアンビエント照度を低くして、デスクスタンド等のタスク照明により各席を調光する方法がある。あるいは、灯具を動的に調光する制御方法として、照度センサを用い、昼光の入る量に応じて灯具の点灯率を制御することが考えられる。
特許文献１には、居室空間における複数の照明シーンごとの照明負荷を予め定めておき、照明シーンに応じて調光する調光システムが記載されている。
【先行技術文献】
【特許文献】
【０００３】
【特許文献１】特開２００１−１６７８９１号公報
【発明の概要】
【発明が解決しようとする課題】
【０００４】
しかしながら、天井に設置された灯具の点灯率を調整して各個人の好みに応じた照度制御を行う場合、特定の灯具の点灯率を変更した場合の近傍への照度影響が大きいため、人が席を移動した場合や好みの照度が変更された場合など、状況に応じた照度制御が必要となる。このように、天井に設置された複数の灯具により同一の空間を照らす場合にも、空間内の地点ごとに、そこにいる人の好みに応じた照度制御を行うことが望ましい。
【０００５】
本発明は、このような状況に鑑みてなされたもので、複数の灯具により同一の空間を照らす際、空間内の人がいる地点を、その人の好みに応じた照度により照らす照度制御装置、照度制御方法を提供する。
【課題を解決するための手段】
【０００６】
上述した課題を解決するために、本発明は、定められた複数のユーザごとに、ユーザの好みの照度である要求照度が対応付けられた照度データが予め記憶される照度データ記憶部と、複数の灯具により照らされる空間内において定められた複数の地点ごとに、灯具が点灯した場合の地点における照度が、複数の灯具ごとに対応付けられた照度分布データが予め記憶される照度分布データ記憶部と、複数の地点ごとに、地点を定められた照度によって照らすために点灯する、灯具を識別する灯具識別情報と灯具の調光の度合いを示す点灯率とが対応付けられた点灯率データが予め記憶される点灯率データ記憶部と、複数の地点のうちいずれかの地点と、複数のユーザのうちいずれかのユーザとを示す点灯要求の入力を受付ける点灯要求入力部と、点灯要求入力部に複数の点灯要求が入力されると、複数の点灯要求のそれぞれが示すユーザに対応する複数の要求照度を照度データ記憶部から読み出し、読み出した複数の要求照度によって複数の点灯要求のそれぞれが示す地点を照らすための複数の点灯率データを点灯率データ記憶部から読み出し、読み出した複数の点灯率データのうちに同一の灯具識別情報が含まれる場合、複数の点灯要求に含まれる複数の地点のそれぞれの照度が、要求照度の予め定められた範囲内となる再調整率を、照度分布データ記憶部に記憶されている照度分布データに基づいて算出する再調整率算出部と、再調整率算出部によって算出された再調整率に基づく点灯率により灯具を点灯させる調光制御部と、を備え、調光制御部は、点灯要求入力部に入力された複数の点灯要求が同一の地点に対する点灯要求である場合、点灯要求に応じたユーザに対応する複数の要求照度のうち最大の照度により灯具を点灯させることを特徴とする。
【０００８】
また、本発明は、定められた複数のユーザごとに、ユーザの好みの照度である要求照度が対応付けられた照度データが予め記憶される照度データ記憶部と、複数の灯具により照らされる空間内において定められた複数の地点ごとに、灯具が点灯した場合の地点における照度が、複数の灯具ごとに対応付けられた照度分布データが予め記憶される照度分布データ記憶部と、複数の地点ごとに、地点を定められた照度によって照らすために点灯する、灯具を識別する灯具識別情報と灯具の調光の度合いを示す点灯率とが対応付けられた点灯率データが予め記憶される点灯率データ記憶部と、を備える照度制御装置の照度制御方法であって、複数の地点のうちいずれかの地点と、複数のユーザのうちいずれかのユーザとを示す複数の点灯要求の入力を受付けるステップと、複数の点灯要求が入力されると、複数の点灯要求のそれぞれが示すユーザに対応する複数の要求照度を照度データ記憶部から読み出し、読み出した複数の要求照度によって複数の点灯要求のそれぞれが示す地点を照らすための複数の点灯率データを点灯率データ記憶部から読み出し、読み出した複数の点灯率データのうちに同一の灯具識別情報が含まれる場合、複数の点灯要求に含まれる複数の地点のそれぞれの照度が、要求照度の予め定められた範囲内となる再調整率を、照度分布データ記憶部に記憶されている照度分布データに基づいて算出するステップと、入力された複数の点灯要求が同一の地点に対する点灯要求である場合、点灯要求に応じたユーザに対応する複数の要求照度のうち最大の照度に基づいて算出した再調整率に基づく点灯率により灯具を点灯させるステップと、を備えることを特徴とする。
【発明の効果】
【０００９】
以上説明したように、本発明によれば、複数の灯具により照らされる空間内において定められた複数の地点のうちいずれかの地点と、複数のユーザのうちいずれかのユーザとを示す複数の点灯要求の入力を受付け、複数の点灯要求のそれぞれが示すユーザの好みの照度である要求照度によって複数の点灯要求のそれぞれが示す地点を照らすための複数の点灯率データに基づいて、複数の点灯率データのうちに同一の灯具識別情報が含まれる場合、複数の点灯要求に含まれる複数の地点のそれぞれの照度が、要求照度の予め定められた範囲内となる再調整率を算出し、再調整率に基づく点灯率により灯具を点灯させるようにしたので、灯具により同一の空間を照らす場合にも、空間内の地点ごとに、そこにいるユーザの好みに応じた照度制御を行う照度制御装置、照度制御方法を提供することができる。
【図面の簡単な説明】
【００１０】
【図１】本発明の一実施形態による照度制御システムの構成を示すブロック図である。
【図２】本発明の一実施形態により照度制御を行うオフィス室内の例を示す図である。
【図３】本発明の一実施形態による照度データ記憶部に記憶される照度データのデータ例を示す図である。
【図４】本発明の一実施形態による照度分布データ記憶部に記憶される照度分布データのデータ例を示す図である。
【図５】本発明の一実施形態による点灯率データ記憶部に記憶される点灯率データのデータ例を示す図である。
【図６】本発明の一実施形態による照度制御装置が複数の灯具を調光する動作例を示すフローチャートである。
【図７】本発明の一実施形態による点灯要求が１地点に対する１ユーザのものである場合の各値の関係を示す図である。
【図８】本発明の一実施形態による点灯要求が２地点に対する２ユーザのものである場合の各値の関係を示す図である。
【発明を実施するための形態】
【００１１】
以下、本発明の一実施形態について、図面を参照して説明する。
図１は、本実施形態による照度制御システム１の構成を示すブロック図である。照度制御システム１は、複数の灯具１０−Ｎ（灯具１０−１、灯具１０−２、灯具１０−３、灯具１０−４、灯具１０−５、・・・）と、これらの灯具１０に接続された照度制御装置２０とを備えている。ここで、複数の灯具１０−Ｎは同様の構成であるので、特に区別して説明する必要がない場合には灯具１０として説明する。
【００１２】
ここで、図面を参照して、本実施形態の照度制御システム１による照度制御を行う空間を説明する。図２は、照度制御システム１による照度制御を行うオフィス室内の例を示す図である。オフィス室内には、複数のデスクと椅子が設置されており、デスクの設置された地点を地点Ｐ１、地点Ｐ２、地点Ｐ３、・・・、Ｐ３２とする。オフィス室内の天井には、複数の灯具１０が設置されている。天井に設置された灯具１０を、Ｌ１、Ｌ２、Ｌ３、・・・、Ｌ３６とする。ここで、Ｐ１〜Ｐ１４の地点とＰ１９〜Ｐ３２の地点とは個人席であり、Ｐ１５〜Ｐ１８の地点は共用席である。
【００１３】
灯具１０は、オフィス室内の天井や壁等に設置された、調光可能な照明器具である。灯具１０には、例えば、ＬＥＤ照明器具、蛍光灯、白熱灯等が適用できる。例えばインバータ基盤により蛍光灯の調光を行うものなどが適用できる。調光は段階的に明るさを変化させて調節するものであっても良いし、段階なく連続的に明るさを変化させて調節するものであっても良い。ここでは、灯具１０は、調光の度合いを示す点灯率が含まれる点灯命令の入力に応じて、点灯する明るさを変化させて調光する制御部を有するものとする。
【００１４】
照度制御装置２０は、照度制御対象であるオフィス空間に設置された複数の灯具１０の調光制御を行うコンピュータ装置であり、複数の灯具１０に接続される。照度制御装置２０は、照度データ記憶部２１と、照度分布データ記憶部２２と、点灯率データ記憶部２３と、点灯要求入力部２４と、再調整率算出部２５と、調光制御部２６とを備えている。
【００１５】
照度データ記憶部２１には、定められた複数のユーザごとに、そのユーザの好みの照度である要求照度が対応付けられた照度データが予め記憶される。図３は、照度データ記憶部２１に記憶される照度データのデータ例を示す図である。照度データには、ユーザＩＤに対応付けて、個人席における要求照度（単位：ｌｘ（ルクス））と、共用席における要求照度（単位：ｌｘ（ルクス））とが記憶される。ユーザＩＤは照度制御対象のオフィス空間を利用するユーザを識別する識別情報である。個人席は、対応するユーザの個人席における好みの照度（要求照度）である。共用席は、対応するユーザの共用席における好みの照度（要求照度）である。このように、照度データ記憶部２１には、ユーザ毎に、個人席と共用席とのそれぞれについての要求照度が記憶される。この他にも、例えば時間帯に応じた要求照度が対応付けられて記憶されるようにして、時間帯に応じた照度制御を行うようにしても良い。
【００１６】
照度分布データ記憶部２２には、複数の灯具により照らされる空間内において定められた複数の地点（Ｐ１〜Ｐ３２）ごとに、その灯具が点灯した場合のその地点における照度が、複数の灯具（Ｌ１〜Ｌ３６）ごとに対応付けられた照度分布データが予め記憶される。図４は、照度分布データ記憶部２２に記憶される照度分布データのデータ例を示す図である。ここでは、灯具を識別する灯具識別情報である灯具ＩＤを示す列と、オフィス空間内の定められた地点を識別する地点識別情報である地点ＩＤを示す行とに対応付けられて、その調光可能な灯具が最大（１００％）の点灯率で点灯した場合における、各地点での照度が記憶されている。照度の単位はｌｘ（ルクス）である。例えば、灯具ＩＤがＬ２３である灯具１０が点灯した場合、地点Ｐ２１における照度は１００ルクスであり、地点Ｐ２２における照度は４１０ルクスであることを示している。このような照度は、予め計測した値でも良いし、シミュレーションにより算出した値でも良い。ここで、照度分布データ記憶部２２には、例えばオフィス室内における可動式の間仕切りが存在する場合には、その間仕切りが開いている場合と閉じている場合との双方の照度分布データを予め記憶しておき、状況に応じて読み出し分けるようにしても良い。
【００１７】
点灯率データ記憶部２３には、複数の地点（Ｐ１〜Ｐ３２）ごとに、その地点を定められた照度によって照らすために点灯する、灯具を識別する灯具識別情報（灯具ＩＤ）とその灯具の調光の度合いを示す点灯率とが対応付けられた点灯率データが記憶される。図５は、点灯率データ記憶部２３に記憶される点灯率データのデータ例を示す図である。図では、地点Ｐ２１と地点Ｐ２２とにおける点灯率データを示している。例えば、地点Ｐ２１を照度３００ルクスで照らすためには、灯具Ｌ２９を７０％の点灯率で点灯させることが示されている。同様に、地点Ｐ２１を照度７００ルクスで照らすためには、灯具Ｌ２９を１００％の点灯率で、灯具Ｌ３０を１００％の点灯率で、灯具Ｌ２３を１０％の点灯率で点灯させることが示されている。ここでは個人席の点灯率データのみを図示するが、共用席においても、同様の点灯率データを用意して予め記憶しておくことができる。
【００１８】
点灯要求入力部２４は、複数の地点（Ｐ１〜Ｐ３２）のうちいずれかの地点と、複数のユーザのうちいずれかのユーザとを示す点灯要求の入力を受付ける。点灯要求は、複数の地点のうち指定されたいずれかの地点を、指定されたユーザに対応する要求照度によって照らすことを要求する情報である。具体的には、例えば、ユーザ毎に、そのユーザを識別するユーザＩＤが記憶されたＩＣ（Integrated Circuit）カードを発行しておき、ユーザはＩＣカードを携帯する。一方、オフィス室内の各地点には、その地点の地点ＩＤを予め記憶させたＩＣカードリーダを設置しておき、ネットワークを介して照度制御装置２０に接続する。そして、ユーザは、オフィス室内のいずれかの地点にいくとその地点に設置されたＩＣカードリーダにＩＣカードを読み取らせる。ＩＣカードリーダは、ＩＣカードから読み取ったユーザＩＤと、自身の記憶領域に予め記憶された地点ＩＤとが含まれる点灯要求を、照度制御装置２０に送信する。点灯要求入力部２４は、ＩＣカードリーダから送信された点灯要求を受信することにより、点灯要求の入力を受付ける。
【００１９】
再調整率算出部２５は、点灯要求入力部２４に複数の点灯要求が入力されると、複数の点灯要求のそれぞれが示すユーザに対応する複数の要求照度を照度データ記憶部２１から読み出し、読み出した複数の要求照度によって複数の点灯要求のそれぞれが示す前記地点を照らすための複数の点灯率データを点灯率データ記憶部２３から読み出し、読み出した複数の点灯率データのうちに同一の灯具ＩＤが含まれる場合、複数の点灯要求に含まれる複数の地点のそれぞれの照度が、要求照度の予め定められた範囲内となる再調整率を、照度分布データ記憶部２２に記憶されている照度分布データに基づいて算出する。
【００２０】
具体的には、例えば、点灯要求入力部２４が、ユーザＩＤが１であり地点ＩＤがＰ２１である第１の点灯要求と、ユーザＩＤが２であり地点ＩＤがＰ２２である第２の点灯要求とを受信したとする。この場合、再調整率算出部２５は、ユーザＩＤ「１」に対応する照度データＤ１と、ユーザＩＤ「２」に対応する照度データＤ２とを照度データ記憶部２１から読み出す。ここでは、いずれの個人席の要求照度も７００（ルクス）である。再調整率算出部２５は、点灯率データ記憶部２３から、地点Ｐ２１を照度７００（ルクス）で照らすための灯具ＩＤと点灯率Ｔ１とを読み出す。同様に、地点Ｐ２２を照度７００（ルクス）で照らすための灯具ＩＤと点灯率Ｔ２とを読み出す。
【００２１】
図５に示した通り、地点Ｐ２１を照度７００（ルクス）で照らすためには、灯具Ｌ２９を１００％、灯具Ｌ３０を１００％、灯具Ｌ２３を１０％の点灯率Ｔ１で点灯させる。一方、地点Ｐ２２を照度７００（ルクス）で照らすためには、灯具Ｌ２３を１００％、灯具Ｌ２４を１００％、灯具Ｌ２９を１０％の点灯率Ｔ２で点灯させる。すなわち、双方の地点での照度を少なくとも７００（ルクス）以上とするためには、灯具Ｌ２３、灯具Ｌ２４、灯具Ｌ２９、灯具Ｌ３０の全てを１００％の点灯率で点灯させる。このように灯具１０を点灯させた場合、地点Ｐ２１における照度Ｉ１と、地点Ｐ２２における照度Ｉ２とは、図４に示した値の合計値となる。ここで、逐点法により、複数灯具を点灯したときの直射照度は各灯具の個別の照度の加算により求められる。間接光についても同様に加算することができる。すなわち、地点Ｐ２１の照度Ｉ１は、１００＋８０＋４２０＋２７０＝８７０（ルクス）である。地点Ｐ２２の照度Ｉ２は、４１０＋２６０＋１５０＋１１０＝９３０（ルクス）である。
【００２２】
このように算出した照度に基づいて、再調整率算出部２５は、（要求照度÷算出照度）の値を再調整率Ｒとして求める。例えば、地点Ｐ２１における再調整率Ｒ１は、（７００÷８７０）＝０．８である。地点Ｐ２２における再調整率Ｒ２は、（７００÷９３０）＝０．７５である。そこで、再調整率算出部２５は、照度Ｉ１および照度Ｉ２に再調整率Ｒ１および再調整率Ｒ２を乗じた値を求める。ただし、地点Ｐ２１においては灯具Ｌ２９と灯具Ｌ３０とに対して再調整率Ｒ１を乗じ、地点Ｐ２２においては灯具Ｌ２３と灯具Ｌ２４とに対して再調整率Ｒ２を乗じる。このような再調整率に基づく点灯率により灯具１０を点灯させる場合の照度Ｉ１´は、地点Ｐ２１においては１００×０．７５＋８０×０．７５＋４２０×０．８＋２７０×０．８＝６８７（ルクス）である。同様に、地点Ｐ２２における照度Ｉ２´は、４１０×０．７５＋２６０×０．７５＋１５０×０．８＋１１０×０．８＝７１０（ルクス）である。これにより、両地点の照度は、いずれもユーザの要求照度７００（ルクス）に近い値となる。
【００２３】
調光制御部２６は、点灯要求入力部２４に入力された点灯要求に応じて、灯具１０に点灯命令を送信する。また、調光制御部２６は、点灯要求入力部２４に複数の点灯要求が入力され、入力された点灯要求に応じた灯具ＩＤに同一のものが含まれる場合は、再調整率算出部２５によって算出された再調整率Ｒに基づく点灯率により、灯具１０を点灯させる。具体的には、調光制御部２６は、灯具１０ごとに、再調整率算出部２５によって算出された再調整率Ｒに基づく点灯率を算出し、算出した点灯率により点灯することの点灯命令を、灯具１０が有する制御部に送信する。灯具１０は、調光制御部２６から送信された点灯命令に応じて、指定された点灯率により灯具１０を点灯させる。
【００２４】
また、調光制御部２６は、前記点灯要求入力部に入力された複数の点灯要求が同一の地点に対する点灯要求である場合、点灯要求に応じたユーザに対応する複数の要求照度のうち最大の照度により灯具を点灯させる点灯命令を、灯具１０に送信する。すなわち、同地点に複数のユーザが着席した場合には、その複数のユーザのうち、より明るい照度を好むユーザに合わせて、点灯命令を送信する。
【００２５】
次に、本実施形態による照度制御システム１の動作例を説明する。図６は、照度制御装置２０が複数の灯具１０を調光する動作例を示すフローチャートである。
まず、ユーザＩＤが１であるユーザが、地点Ｐ２１に着席すると、自身のＩＣカードを、地点Ｐ２１のデスク上に設置されたＩＣカードリーダにかざす。ＩＣカードリーダは、ユーザのＩＣカードから読み取ったユーザＩＤと、予め自身の記憶領域に記憶された地点ＩＤとが含まれる点灯要求を、照度制御装置２０に送信する。照度制御装置２０は、ＩＣカードリーダから送信された点灯要求を受信する（ステップＳ１）。
【００２６】
照度制御装置２０の再調整率算出部２５は、点灯要求が示すユーザＩＤ「１」に対応する要求照度Ｄ１（７００（ルクス））を、照度データ記憶部２１から読み出す（ステップＳ２）。また、再調整率算出部２５は、点灯要求が示す地点Ｐ２１における、要求照度Ｄ１（７００（ルクス））に対応する点灯率Ｔ１を、点灯率データ記憶部２３から読み出す（ステップＳ３）。調光制御部２６は、再調整率算出部２５が読み出した点灯率Ｔ１による点灯命令を、灯具１０に送信する。ここでは、再調整率算出部２５は、灯具Ｌ２９に対して１００％の点灯率で、灯具Ｌ３０に対して１００％の点灯率で、灯具Ｌ２３に対して１０％の点灯率で点灯する点灯命令を送信する（ステップＳ４）。点灯命令を受信した灯具１０は、受信した点灯命令に応じて点灯する。このように、点灯要求が１地点に対する１ユーザのものである場合の要求照度Ｄ１、点灯率Ｔ１、照度Ｉ１の関係を、図７に示す。符号ａに示す灯具１０は、要求照度Ｄ１に対応する点灯率Ｔ１のままに点灯する。このとき、符号ｂに示すデスクの机上の照度Ｉ１は、要求照度Ｄ１に一致する。
【００２７】
図６に戻り、ユーザＩＤが２であるユーザが、地点Ｐ２２に着席すると、自身のＩＣカードを、地点Ｐ２２のデスク上に設置されたＩＣカードリーダにかざす。ＩＣカードリーダは、ユーザのＩＣカードから読み取ったユーザＩＤと、予め自身の記憶領域に記憶された地点ＩＤとが含まれる点灯要求を、照度制御装置２０に送信する。照度制御装置２０は、ＩＣカードリーダから送信された点灯要求を受信する（ステップＳ５）。
【００２８】
照度制御装置２０の再調整率算出部２５は、点灯要求が示すユーザＩＤ「２」に対応する要求照度Ｄ２（７００（ルクス））を、照度データ記憶部２１から読み出す（ステップＳ６）。また、再調整率算出部２５は、点灯要求が示す地点Ｐ２２における、要求照度Ｄ２（７００（ルクス））に対応する点灯率Ｔ２を、点灯率データ記憶部２３から読み出す（ステップＳ７）。ここで、再調整率算出部２５は、点灯率Ｔ１と点灯率Ｔ２とが、同一の灯具ＩＤに対応するものであるか否かを判定する。点灯率Ｔ１と点灯率Ｔ２とが同一の灯具ＩＤに対応するものでなければ、調光制御部２６が、ステップＳ４と同様に灯具１０に点灯命令を送信して処理を終了する。一方、点灯率Ｔ１と点灯率Ｔ２とが同一の灯具ＩＤに対応するものであれば、再調整率算出部２５は、再調整率の算出処理を行う。
【００２９】
再調整率の算出処理では、再調整率算出部２５は、上述のように、点灯率Ｔ１と点灯率Ｔ２とに基づいた照度Ｉ１とＩ２とを算出する（ステップＳ８）。そして、各地点での再調整率Ｒ１（＝Ｄ１／Ｉ１）、再調整率Ｒ２（＝Ｄ２／Ｉ２）を算出する（ステップＳ９）。ここで、再調整率算出部２５は算出した再調整率Ｒ１、Ｒ２に基づく照度Ｉ１´、Ｉ２´が、要求照度Ｄ１、Ｄ２から予め定められた範囲内（例えば、プラスマイナス５０ルクス以内）であるか否かを判定する。再調整率算出部２５は、算出した照度が要求照度から予め定められた範囲内でなければ、ステップＳ９の再調整率算出処理を再び行うようにしても良い。一方、算出した照度が要求照度から予め定められた範囲内であれば、調光制御部２６は、点灯率Ｔ１、点灯率Ｔ２に、再調整率Ｒ１、再調整率Ｒ２を乗じた点灯率により、灯具１０に対して点灯命令を送信する。点灯命令を受信した灯具１０は、受信した点灯命令に応じて調光する。このように、点灯要求が２地点に対する２ユーザのものである場合の要求照度Ｄ１、Ｄ２、点灯率Ｔ１、Ｔ２、照度Ｉ１、Ｉ２の関係を、図８に示す。符号ｂ１、ｂ２に示すデスクの机上の照度は、符号ａ１に示す灯具１０が要求照度Ｄ１に応じた点灯率Ｔ１に基づいて点灯した照度と、符号ａ２に示す灯具１０が要求照度Ｄ１に応じた点灯率Ｔ１に基づいて点灯した照度との合計値になる。
【００３０】
上記では、ユーザＩＤが１であるユーザとユーザＩＤが２であるユーザとが隣接して着席する例を示したが、次に、ユーザＩＤが１であるユーザとユーザＩＤが３であるユーザとが隣接して着席する場合の再調整率Ｒの算出例を示す。図３に示すように、ユーザＩＤが３であるユーザは、個人席における要求照度Ｄ３が５００（ルクス）である。以下では、ユーザＩＤが３であるユーザが地点Ｐ２１に、ユーザＩＤが１であるユーザが地点Ｐ２２に着席する場合の例を示す。この場合、図５に示したように、地点Ｐ２１を要求照度Ｄ３（５００ルクス）で照らす場合の灯具Ｌ３０の点灯率は３０％であり、地点Ｐ２２を要求照度Ｄ１（７００ルクス）で照らす場合の灯具Ｌ３０の点灯率は０％である。このとき、地点Ｐ２１の照度Ｉ３は、１００×１＋８０×１＋４２０×１＋２７０×０．３＝６８１（ルクス）である。一方、地点Ｐ２２の照度Ｉ１は、４１０×１＋２６０×１＋１５０×１＋１１０×０．３＝８５３（ルクス）である。これに基づいて地点Ｐ２１での再調整率Ｒ３を求めると、再調整率Ｒ３＝Ｄ３／Ｉ３＝５００／６８１＝０．７３である。同様に、地点Ｐ２２での再調整率Ｒ１を求めると、再調整率Ｒ１＝Ｄ１／Ｉ１＝７００／８５３＝０．８２である。
【００３１】
このような再調整率に基づいて、地点Ｐ２１における照度Ｉ３´を求めると、１００×１×０．８２＋８０×１×０．８２＋４２０×１×０．７３＋２７０×０．３×０．７３＝５１３（ルクス）である。一方、地点Ｐ２２における照度Ｉ１´を求めると、４１０×１×０．８２＋２６０×１×０．８２＋１５０×１×０．７３＋１１０×０．３×０．７３＝６８２（ルクス）である。このように、照度Ｉ３´は５１３（ルクス）であり、要求照度Ｄ３は５００（ルクス）である。また、照度Ｉ１´は６８２（ルクス）であり、要求照度Ｄ１は７００（ルクス）であるから、それぞれを要求照度に近い照度に制御することができる。
【００３２】
なお、本実施形態では、点灯要求入力部２４は、地点ごとにＩＣカードリーダを設置し、ユーザのＩＣカードを読み込んだＩＣカードリーダから送信される点灯要求を受信することとしたが、例えば、地点ごとに、点灯要求を送信するボタンを設置し、ボタンが押下されることにより点灯要求が送信されるようにしても良い。また、ＲＦＩＤ（Radio Frequency IDentification）とアンテナにて構成される位置情報システムを用いたユーザの着席検知により点灯要求を送信しても良い。
【００３３】
なお、本発明における処理部の機能を実現するためのプログラムをコンピュータ読み取り可能な記録媒体に記録して、この記録媒体に記録されたプログラムをコンピュータシステムに読み込ませ、実行することにより照度制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３５】
１  照度制御システム
１０  灯具
２０  照度制御装置
２１  照度データ記憶部
２２  照度分布データ記憶部
２３  点灯率データ記憶部
２４  点灯要求入力部
２５  再調整率算出部
２６  調光制御部
【図１】
0005553161.tif 000002
【図２】
0005553161.tif 000003
【図３】
0005553161.tif 000004
【図４】
0005553161.tif 000005
【図５】
0005553161.tif 000006
【図６】
0005553161.tif 000007
【図７】
0005553161.tif 000008
【図８】
0005553161.tif 000009